(57)【要約】【課題】支柱に対する取付部材の取付作業が容易で、太陽電池パネルの支持を円滑に行うことができる太陽電池パネルの支持構造を提供する。【解決手段】地面上には複数のコンクリート柱１２が一定間隔をおいて立設される。各コンクリート柱１２には、所定の高さにおいてコンクリート柱１２を囲むように取付部材１３が取付けられる。この取付部材１３は、一対の分割体１３ａ、１３ｂで構成されている。これらの分割体１３ａ、１３ｂは、連結材としての長ボルト及びナットで連結される。一対の分割体１３ａ、１３ｂの外面には、それぞれ斜状部材１４が所定の傾斜角度、例えば３０°で取付けられる。各コンクリート柱１２に取付けられた斜状部材１４間には、架橋部材が架設され、その架橋部材上に太陽電池パネルが傾斜配置されるように構成されている。【選択図】図１
2015144541.tif 000002
【特許請求の範囲】
【請求項１】
複数の支柱を立設するとともに、各支柱に取付けられる取付部材を複数の分割体で構成し、各分割体を連結材で連結し、前記取付部材には太陽電池パネルが傾斜配置されるように支持する斜状部材を備えた太陽電池パネルの支持構造。
【請求項２】
前記分割体には、支柱の外面に当接する複数の当接部を備える請求項１に記載の太陽電池パネルの支持構造。
【請求項３】
前記連結材はねじ部材で構成されている請求項１又は請求項２に記載の太陽電池パネルの支持構造。
【請求項４】
前記斜状部材には傾斜用孔を設けるとともに、分割体には斜状部材の傾斜角度を変更するための複数の角度調節孔を設け、斜状部材の傾斜用孔と分割体の角度調節孔に接続材を挿入して斜状部材を所定の傾斜角度で分割体に固定するように構成した請求項３に記載の太陽電池パネルの支持構造。
【請求項５】
前記斜状部材には回動用孔を設けるとともに、分割体には斜状部材の回動用孔に挿入されて斜状部材を回動可能に支持する回動軸を備えた請求項１から請求項４のいずれか１項に記載の太陽電池パネルの支持構造。
【請求項６】
隣接する支柱間には、各支柱の斜状部材間に架け渡され、太陽電池パネルのパネル枠が支持される架橋部材が架設されている請求項１から請求項５のいずれか１項に記載の太陽電池パネルの支持構造。
【請求項７】
前記取付部材の分割体を上側板、下側板、左側板及び右側板により四角枠状に形成し、各分割体の上側板と下側板にはそれらの対向面側が開口するように平面円弧状の切欠きを、取付部材が支柱に対して傾斜配置されるように位置をずらして形成した請求項１に記載の太陽電池パネルの支持構造。
【請求項８】
前記斜状部材は、支柱に対して傾斜配置された取付部材の傾斜方向に沿うように取付部材に固定されている請求項７に記載の太陽電池パネルの支持構造。
【発明の詳細な説明】
【技術分野】
【０００１】
本発明は、太陽電池パネルを支柱上に支持するとともに、支持された太陽電池パネルを太陽光に向けて傾斜配置するための太陽電池パネルの支持構造に関する。
【背景技術】
【０００２】
近年、亜硫酸ガス（ＳＯ２）、炭酸ガス（ＣＯ２）等の燃焼ガスの生成による環境の悪化を防止するため、再生可能エネルギーとして太陽光エネルギーを利用した太陽電池パネルによる発電が普及しつつある。この太陽電池パネルの設置構造が種々提案されている。太陽電池パネルの設置に際しては、緯度の相違による太陽の高さ、日照時間、或いは支柱上、架台上、屋根上等の設置場所などの条件に応じて構造が決定される。
【０００３】
この種の太陽電池パネルの取付構造として、例えば特許文献１には多段式太陽電池パネルのユニット型接地工法が開示されている。この工法は、支柱ポールに取付金具を取付け、該取付金具に補強用受台を設け、その補強用受台に太陽電池パネルを取付けるものである。
【先行技術文献】
【特許文献】
【０００４】
【特許文献１】特開２０１１−９６７５号公報
【発明の概要】
【発明が解決しようとする課題】
【０００５】
前記特許文献１に記載されている従来構成の太陽電池パネルの取付構造においては、支柱ポールに取付けられる取付金具が支柱ポールを取り囲むように一体的に形成されている。このため、取付金具を支柱ポールに取付ける場合には、取付金具を支柱ポールに所定位置で巻き付けて固着したり、支柱ポールの上端部から嵌め込んで所定位置に固定したりしなければならない。従って、支柱ポールに対する取付金具の取付作業が煩雑であるとともに、作業時間を要するという欠点があった。
【０００６】
そこで、本発明の目的とするところは、支柱に対する取付部材の取付作業が容易で、太陽電池パネルの支持を円滑に行うことができる太陽電池パネルの支持構造を提供することにある。
【課題を解決するための手段】
【０００７】
上記目的を達成するために、請求項１に記載の発明の太陽電池パネルの支持構造は、複数の支柱を立設するとともに、各支柱に取付けられる取付部材を複数の分割体で構成し、各分割体を連結材で連結し、前記取付部材には太陽電池パネルが傾斜配置されるように支持する斜状部材を備えたものである。
【０００８】
請求項２に記載の発明の太陽電池パネルの支持構造は、請求項１に係る発明において、前記分割体には、支柱の外面に当接する複数の当接部を備える。
請求項３に記載の発明の太陽電池パネルの支持構造は、請求項１又は請求項２に係る発明において、前記連結材はねじ部材で構成されている。
【０００９】
請求項４に記載の発明の太陽電池パネルの支持構造は、請求項３に係る発明において、前記斜状部材には傾斜用孔を設けるとともに、分割体には斜状部材の傾斜角度を変更するための複数の角度調節孔を設け、斜状部材の傾斜用孔と分割体の角度調節孔に接続材を挿入して斜状部材を所定の傾斜角度で分割体に固定するように構成した。
【００１０】
請求項５に記載の発明の太陽電池パネルの支持構造は、請求項１から請求項４のいずれか一項に係る発明において、前記斜状部材には回動用孔を設けるとともに、分割体には斜状部材の回動用孔に挿入されて斜状部材を回動可能に支持する回動軸を備えた。
【００１１】
請求項６に記載の発明の太陽電池パネルの支持構造は、請求項１から請求項５のいずれか一項に係る発明において、隣接する支柱間には、各支柱の斜状部材間に架け渡され、太陽電池パネルのパネル枠が支持される架橋部材が架設されている。
【００１２】
請求項７に記載の発明の太陽電池パネルの支持構造は、請求項１に係る発明において、前記取付部材の分割体を上側板、下側板、左側板及び右側板により四角枠状に形成し、各分割体の上側板と下側板にはそれらの対向面側が開口するように平面円弧状の切欠きを、取付部材が支柱に対して傾斜配置されるように位置をずらして形成した。
【００１３】
請求項８に記載の発明の太陽電池パネルの支持構造は、請求項７に係る発明において、前記斜状部材は、支柱に対して傾斜配置された取付部材の傾斜方向に沿うように取付部材に固定されている。
【発明の効果】
【００１４】
本発明の太陽電池パネルの支持構造によれば、支柱に対する取付部材の取付作業が容易で、太陽電池パネルの支持を円滑に行うことができるという効果を奏する。
【図面の簡単な説明】
【００１５】
【図１】本発明の第１実施形態における太陽電池パネルを傾斜状態で支持するための斜状部材の取付構造を示す斜視図。
【図２】斜状部材の取付構造を示す断面図。
【図３】斜状部材の取付構造を示す正面図。
【図４】コンクリート柱に対して取付部材を取付ける場合の作用を示す断面図。
【図５】斜状部材上に架橋部材を介して太陽電池パネルが収容されたパネル枠を固定した状態を示す断面図。
【図６】太陽電池パネルのパネル枠を示す底面図。
【図７】（ａ）は複数のコンクリート柱間の架橋部材上に支持された太陽電池パネルを示す正面図、（ｂ）はその側面図。
【図８】第２実施形態の斜状部材の取付構造を示す断面図。
【図９】斜状部材の取付構造を示す正面図。
【図１０】第３実施形態の斜状部材の取付構造を示す斜視図。
【図１１】（ａ）はコンクリート柱に対する取付部材の取付構造を示す断面図、（ｂ）は取付部材をコンクリート柱に取付ける場合の作用を示す断面図。
【図１２】斜状部材の取付状態を示す正面図。
【図１３】第４実施形態における取付部材及び斜状部材の取付構造を示す分解斜視図。
【図１４】コンクリート柱に傾斜状態で取付けた取付部材に斜状部材を固定し、その斜状部材に架橋部材を介して太陽電池パネルのパネル枠を支持した状態を示す正面図。
【図１５】（ａ）は図１４の状態を平面側の太陽電池パネルに直交する方向から見た図、（ｂ）は図１４の状態を側面側の太陽電池パネルに平行な方向から見た図。
【発明を実施するための形態】
【００１６】
（第１実施形態）
以下、本発明の第１実施形態を図１〜図７に基づいて詳細に説明する。
図７（ａ）、（ｂ）に示すように、平らな地面１１中には支柱としての複数のコンクリート柱１２の下部が鉛直方向に埋め込まれ、地面１１上にはコンクリート柱１２の上部が所定高さまで延びるように設置されている。これらのコンクリート柱１２は一定間隔をおいて配置され、全て同じ高さに設定されている。該コンクリート柱１２は断面円形状に形成され、上方ほど縮径するテーパ状に構成されている。具体的には、コンクリート柱１２の下端部の直径が３９ｃｍ、上端部の直径が１９ｃｍに設定され、地面１１からの高さが１５ｍ、埋め込み部分が２．５ｍ、コンクリート柱１２間の間隔が１１ｍに設定される。
【００１７】
前記コンクリート柱１２には、上下に所定間隔をおいて取付部材１３が取付けられ、それらの取付部材１３に斜状部材１４が地面１１に対して例えば３０度の傾斜角度αで固定されている。隣接するコンクリート柱１２の斜状部材１４間には架橋部材１５が架設され、その架橋部材１５上に太陽電池パネル１６が所定の傾斜角度α、例えば３０°の傾斜角度αで支持されるようになっている。
【００１８】
図１及び図２に示すように、前記取付部材１３は断面台形状をなす一対の分割体１３ａ、１３ｂで構成され、取付部材１３がコンクリート柱１２を挟持するように配置されている。各分割体１３ａ、１３ｂの内面には断面三角形状をなす一対の当接部１７が接合され、コンクリート柱１２の外面に当接するように構成されている。各分割体１３ａ、１３ｂの両端部には脚部１８が延出され、該脚部１８には上下一対の挿通孔１９が開口されている。そして、コンクリート柱１２を挟むように対向する分割体１３ａ、１３ｂの脚部１８の挿通孔１９に連結材を構成するねじ部材としての長ボルト２０を挿通し、一組のナット２１で締付けることにより、取付部材１３がコンクリート柱１２に取付けられるようになっている。
【００１９】
前記斜状部材１４は底壁１４ａと、その両側端縁から直角に延びる両側壁１４ｂとからチャンネル状に形成され、一対の斜状部材１４が底壁１４ａ外面を対向させて平行に延びるように配置されている。前記分割体１３ａ、１３ｂの中央部外面には、雄ねじで構成された回動軸２２が突出形成されている。斜状部材１４の底壁１４ａ中央部には回動用孔２３が開口され、その回動用孔２３に分割体１３ａ、１３ｂの回動軸２２が挿入されて、斜状部材１４が分割体１３ａ、１３ｂに対して回動可能に構成されている。
【００２０】
図３に示すように、各分割体１３ａ、１３ｂの図中右上位置及び左下位置には、それぞれ複数の角度調節孔２４が開口されている。本実施形態では、斜状部材１４の傾斜角度αを３０°に設定する角度調節孔２４ａ、斜状部材１４の傾斜角度αを４５°に設定する角度調節孔２４ｂ及び斜状部材１４の傾斜角度αを６０°に設定する角度調節孔２４ｃが開口されている。一方、斜状部材１４には一対の傾斜用孔２５が設けられ、それらの傾斜用孔２５と斜状部材１４の角度調節孔２４に接続材としてのボルト２６を通してナット２７で締付けることにより、斜状部材１４を分割体１３ａ、１３ｂに対して所定の傾斜角度αに設定できるようになっている。
【００２１】
図５及び図７（ａ）に示すように、隣接する各コンクリート柱１２の斜状部材１４間には、底壁部１５ａとその両端から直角に延びる両側壁部１５ｂとからチャンネル状に形成された架橋部材１５が架設されている。そして、斜状部材１４の側壁１４ｂと架橋部材１５の側壁部１５ｂに形成された挿通孔部２９にボルト２６を通してナット２７で締付けることにより、架橋部材１５が斜状部材１４に固定されている。
【００２２】
図５及び図６に示すように、太陽電池パネル１６を収容するパネル枠３１は有底四角枠状に形成され、その開口端部において底部に平行に突出する突出壁３１ａには、一定間隔をおいて挿入孔３２が形成されている。そして、パネル枠３１をその突出壁３１ａが架橋部材１５の側壁部１５ｂ上に位置する状態で、パネル枠３１の挿入孔３２と架橋部材１５の挿通孔部２９にボルト２６を通してナット２７で締付けることにより、太陽電池パネル１６が収容されたパネル枠３１を架橋部材１５に固定できるように構成されている。
【００２３】
以上のように構成された太陽電池パネル１６の支持構造について作用を説明する。
さて、まず取付部材１３をコンクリート柱１２に取付け、斜状部材１４を傾斜配置する場合には、図４に示すように、一方の分割体１３ａの両脚部１８に設けられた挿通孔１９に長ボルト２０を挿通して一組のナット２１で締付けた状態で、一対の当接部１７をコンクリート柱１２の外面に押し当てる。このとき、分割体１３ａの一対の当接部１７の外面が離間した位置でコンクリート柱１２を包むようにコンクリート柱１２の外面に押し付けられるため、取付部材１３をコンクリート柱１２に対して安定した状態で保持することができる。
【００２４】
続いて、他方の分割体１３ｂの両脚部１８の挿通孔１９に長ボルト２０を通し、一対の当接部１７をコンクリート柱１２の外面に押し当てる。その後、２つの長ボルト２０に対してナット２１を締付けることにより、両分割体１３ａ、１３ｂをコンクリート柱１２に固定することができる。
【００２５】
このように、取付部材１３を２つの分割体１３ａ、１３ｂで構成したことから、コンクリート柱１２に対する取付部材１３の取付け操作を容易かつ速やかに進めることができる。さらに、長ボルト２０を用い、ナット２１で締付けるという簡単な操作で、取付部材１３をコンクリート柱１２に対して安定した状態で締付固定することができる。
【００２６】
次いで、斜状部材１４を所定の傾斜角度αで取付部材１３に固定する場合には、図１〜図３に示すように、斜状部材１４の回動用孔２３に分割体１３ａ、１３ｂの回動軸２２を通してナット２７を螺合する。このとき、各斜状部材１４は回動軸２２を中心にして回動可能に支持される。その状態で、斜状部材１４の一対の傾斜用孔２５を、斜状部材１４の傾斜角度αが３０°になる角度調節孔２４ａに位置合せし、ボルト２６を斜状部材１４の傾斜用孔２５と分割体１３ａ、１３ｂの角度調節孔２４に通してボルト２６とナット２７で締付けることにより、斜状部材１４を傾斜角度αが３０°となるように設定することができる。
【００２７】
引き続いて、斜状部材１４に太陽電池パネル１６を支持する場合には、図５及び図７（ａ）に示すように、隣接するコンクリート柱１２の斜状部材１４間に架橋部材１５を架け渡す。次いで、斜状部材１４の側壁１４ｂと架橋部材１５の側壁部１５ｂの挿通孔部２９にボルト２６を挿通し、ナット２７を螺合することによって架橋部材１５を斜状部材１４に固定することができる。その後、架橋部材１５上に太陽電池パネル１６のパネル枠３１を載せ、架橋部材１５の側壁部１５ｂの挿通孔部２９とパネル枠３１の突出壁３１ａの挿入孔３２にボルト２６を通してナット２７を締付けることにより、太陽電池パネル１６が収容されたパネル枠３１を架橋部材１５に固定することができる。
【００２８】
図７（ａ）、（ｂ）に示すように、上記のような手順により、複数のコンクリート柱１２間に太陽電池パネル１６を所定の傾斜角度αをもって支持することができ、太陽電池パネル１６を上下及び左右に多段配置することができる。
【００２９】
以上詳述した第１実施形態により発揮される効果を以下にまとめて説明する。
（１）第１実施形態の太陽電池パネル１６の支持構造では、複数のコンクリート柱１２を所定の間隔で立設し、各コンクリート柱１２には所定の高さにおいて取付けられる取付部材１３を複数の分割体１３ａ、１３ｂで構成し、それらの分割体１３ａ、１３ｂを連結材で連結し、各分割体１３ａ、１３ｂに斜状部材１４を支持するように構成した。このため、コンクリート柱１２に対して取付部材１３を簡単に取付けることができ、その後取付部材１３に斜状部材１４を斜状に支持し、該斜状部材１４により太陽電池パネル１６を傾斜配置することができる。
【００３０】
従って、第１実施形態の太陽電池パネル１６の支持構造によれば、コンクリート柱１２に対する取付部材１３の取付作業が容易で、太陽電池パネル１６の支持を円滑に行うことができるという効果を奏する。
【００３１】
（２）前記取付部材１３の分割体１３ａ、１３ｂは、コンクリート柱１２の外面に当接する複数の当接部１７を備えている。そのため、取付部材１３をコンクリート柱１２に対して安定した状態で取付けることができる。
【００３２】
（３）前記連結材は、長ボルト２０及び複数のナット２１よりなるねじ部材で構成されている。従って、長ボルト２０にナット２１を螺合するという簡単な操作で、取付部材１３をコンクリート柱１２に強固に締付固定することができる。
【００３３】
（４）前記斜状部材１４には傾斜用孔２５を設けるとともに、分割体１３ａ、１３ｂには斜状部材１４の傾斜角度αを変更するための複数の角度調節孔２４を設け、斜状部材１４の傾斜用孔２５と分割体１３ａ、１３ｂの角度調節孔２４にねじ部材を挿入して斜状部材１４を所定の傾斜角度αで分割体１３ａ、１３ｂに固定するように構成した。このため、複数の角度調節孔２４を利用して斜状部材１４の傾斜角度αを容易に変更することができる。
【００３４】
（５）前記斜状部材１４には回動用孔２３を設けるとともに、分割体１３ａ、１３ｂには斜状部材１４の回動用孔２３に挿入されて斜状部材１４を回動可能に支持する回動軸２２を備えている。従って、斜状部材１４を分割体１３ａ、１３ｂに対して回動可能に支持した状態で、斜状部材１４の傾斜角度を容易に設定することができる。
【００３５】
（６）隣接するコンクリート柱１２間には、各コンクリート柱１２の斜状部材１４間に架け渡され、太陽電池パネル１６のパネル枠３１が支持される架橋部材１５が架設されている。このため、太陽電池パネル１６のパネル枠３１を架橋部材１５上に安定した状態で、速やかに設置することができる。
【００３６】
（第２実施形態）
次に、本発明の第２実施形態を図８及び図９に基づいて説明する。なお、この第２実施形態及び後述する第３実施形態においては、主に第１実施形態と相違する部分について説明する。
【００３７】
図８及び図９に示すように、取付部材１３の各分割体１３ａ、１３ｂは半円筒状に形成され、その両端部には径方向外方へ延びる脚部１８が設けられ、該脚部１８にはそれぞれ上下２段に角度設定孔３３ａ、３３ｂが開口されている。そして、一対の分割体１３ａ、１３ｂをコンクリート柱１２の外面に対向して配置した状態で、分割体１３ａ、１３ｂの脚部１８の角度設定孔３３ａ、３３ｂに長ボルト２０を挿通してナット２１で締付けることにより、取付部材１３をコンクリート柱１２に取付けるように構成されている。
【００３８】
前記分割体１３ａ、１３ｂの中央部外面には、断面コ字状に形成され、斜め方向に延びる支持体３４が固着されている。この支持体３４の中央部には挿入孔３５が貫通形成されている。斜状部材１４の底壁１４ａには連通孔３６が貫通形成され、ボルト２６を斜状部材１４の連通孔３６から分割体１３ａ、１３ｂの挿入孔３５に通してナット２７に螺合することにより、斜状部材１４が分割体１３ａ、１３ｂに支持されるようになっている。
【００３９】
前記斜状部材１４の底壁１４ａには、連通孔３６を挟んで一対の傾斜用孔２５が開口されている。この斜状部材１４は支持体３４に沿って斜め方向に配置され、一方の傾斜用孔２５は分割体１３ａ、１３ｂの上部に位置する角度設定孔３３ａに対応して長ボルト２０が挿入され、他方の傾斜用孔２５は分割体１３ａ、１３ｂの下部に位置する角度設定孔３３ｂに対応して長ボルト２０が挿入されるようになっている。そして、各長ボルト２０にナット２１を螺合して締付けることにより、斜状部材１４が支持体３４すなわち分割体１３ａ、１３ｂに対して３０°の傾斜角度αで取付けられるようになっている。
【００４０】
さて、取付部材１３をコンクリート柱１２に取付ける場合には、一対の分割体１３ａ、１３ｂを１８０度反対側からコンクリート柱１２を囲むように押し付け、その状態で一対の分割体１３ａ、１３ｂの両脚部１８の角度設定孔３３ａ、３３ｂに長ボルト２０を挿通し、ナット２１を螺合する。このように、一対の分割体１３ａ、１３ｂを長ボルト２０とナット２１で締付けることにより、取付部材１３をコンクリート柱１２に簡単に取付けることができる。
【００４１】
次いで、斜状部材１４を分割体１３ａ、１３ｂに対して傾斜状態で取付ける場合には、斜状部材１４の底壁１４ａの連通孔３６を支持体３４の挿入孔３５に合せてボルト２６を挿入し、ナット２７に螺合して、斜状部材１４を支持体３４に支持する。その状態で、斜状部材１４の底壁１４ａの一方の傾斜用孔２５を分割体１３ａ、１３ｂの上部に位置する角度設定孔３３ａに対向させて長ボルト２０を挿通してナット２７を螺合し、斜状部材１４の底壁１４ａの他方の傾斜用孔２５を分割体１３ａ、１３ｂの下部に位置する角度設定孔３３ｂに対向させて長ボルト２０を挿通してナット２７を螺合する。このように、取付部材１３をコンクリート柱１２に固定する長ボルト２０を利用して、斜状部材１４を３０°の傾斜角度αに設置することができる。
【００４２】
以上のように、この第２実施形態によれば、コンクリート柱１２に対する取付部材１３の取付けを強固にできるとともに、その取付部材１３の取付け構成を利用して斜状部材１４を所定の傾斜角度αに設定することができる。
【００４３】
（第３実施形態）
次に、本発明の第３実施形態を図１０〜図１２に基づいて説明する。
図１０及び図１１（ａ）に示すように、取付部材１３の各分割体１３ａ、１３ｂは、底壁１４ａとその両側端縁から直角に延びる両側壁１４ｂとからチャンネル状に形成されるとともに、その底壁１４ａ外面には一定の間隔をおいて断面三角形状をなす一対の当接部１７が接合されている。すなわち、該当接部１７の両側部には脚板１７ａが延出され、その脚板１７ａが取付部材１３の底壁１４ａ外面に溶接されている。
【００４４】
これらの当接部１７はそれぞれ鉛直方向に配置された状態で、斜め方向に延びる分割体１３ａ、１３ｂに溶接接合されている。分割体１３ａ、１３ｂは当接部１７に対して３０°の傾斜角度αで接合されている。各分割体１３ａ、１３ｂは両端部から延長されて斜状部材１４となっている。前記斜状部材１４は一対設けられ、それらの底壁１４ａ外面を対向させて平行に延びるように配置されている。
【００４５】
図１１（ａ）に示すように、前記各斜状部材１４の底壁１４ａ及び各当接部１７の脚板１７ａには貫通孔３７が形成されている。そして、各斜状部材１４の底壁１４ａ及び当接部１７の脚板１７ａの貫通孔３７に長ボルト２０が挿通され、その長ボルト２０に対して一組のナット２１が螺合され、締付けられている。そして、一対の斜状部材１４がコンクリート柱１２を挟むように配置され、各当接部１７がコンクリート柱１２の外面に押圧されることにより、斜状部材１４がコンクリート柱１２に取付けられている。
【００４６】
この場合、図１２に示すように、斜状部材１４は当接部１７に対して傾斜状態で接合されていることから、一方の長ボルト２０はコンクリート柱１２に対して上部位置に配置され、他方の長ボルト２０はコンクリート柱１２に対して下部位置に配置されている。その状態で、前記ナット２１を長ボルト２０に締付けることにより、斜状部材１４を傾斜させてコンクリート柱１２に固定できるようになっている。
【００４７】
さて、取付部材１３をコンクリート柱１２に取付け、斜状部材１４を傾斜配置する場合には、図１１（ｂ）及び図１２に示すように、一方の斜状部材１４の両当接部１７をコンクリート柱１２の外面に押し当てる。このとき、コンクリート柱１２に対して一方の当接部１７は高い位置に配置され、他方の当接部１７は低い位置に配置される。その状態で、斜状部材１４の底壁１４ａと当接部１７の脚板１７ａの貫通孔３７に２つの長ボルト２０をそれぞれ挿通する。
【００４８】
次いで、図１１（ａ）に示すように、他方の斜状部材１４の底壁１４ａと当接部１７の脚板１７ａの貫通孔３７に前記２つの長ボルト２０をそれぞれ挿通するとともに、両当接部１７をコンクリート柱１２の外面に押し当てる。その後、２つの長ボルト２０に対してナット２１を締付けることにより、斜状部材１４を所定の傾斜角度αを維持した状態でコンクリート柱１２に固定することができる。
【００４９】
このように、長ボルト２０を用い、ナット２１で締付けるという簡単な操作で、斜状部材１４をコンクリート柱１２に取付けることができると同時に、斜状部材１４を太陽電池パネル１６の傾斜角度αに設定することができる。
【００５０】
以上のように、この第３実施形態によれば、予め当接部１７に対して斜状部材１４を所定の傾斜角度αで接合しておくことにより、太陽電池パネル１６をその傾斜角度αに設定することができる。
【００５１】
（第４実施形態）
次に、本発明の第４実施形態を図１３〜図１５に基づいて説明する。
図１３に示すように、取付部材１３の各分割体１３ａ、１３ｂは、上側板１３ｃ、下側板１３ｄ、左側板１３ｅ及び右側板１３ｆにより横長四角枠状に形成されるとともに、その一端面には底板１３ｇが設けられている。各分割体１３ａ、１３ｂの上側板１３ｃ及び下側板１３ｄには、各対向面側に開口する平面円弧状の切欠き４０、４１がそれぞれ凹設されている。これらの切欠き４０、４１の円弧は、コンクリート柱１２の円弧に対応するように設定され、各分割体１３ａ、１３ｂの切欠き４０、４１がコンクリート柱１２に当接するようになっている。
【００５２】
各分割体１３ａ、１３ｂの上側板１３ｃの切欠き４０と下側板１３ｄの切欠き４１とは分割体１３ａ、１３ｂの長手方向にずらして形成され、対向する分割体１３ａ、１３ｂの切欠き４０、４１間にコンクリート柱１２が挟持されるとき、各分割体１３ａ、１３ｂが傾斜配置されるように構成されている。
【００５３】
この第４実施形態では、前記上側板１３ｃの切欠き４０を形成する円弧の中心線及び下側板１３ｄの切欠き４１を形成する円弧の中心線間を結ぶ線と、分割体１３ａ、１３ｂの高さによる線で形成される三角形に基づいて、取付部材１３の傾斜角度αを設定することができる。例えば、本第４実施形態では、上側板１３ｃの切欠き４０を形成する円弧の中心線及び下側板１３ｄの切欠き４１を形成する円弧の中心線間を結ぶ線の長さが１１５ｍｍ、分割体１３ａ、１３ｂの高さによる線の長さが２００ｍｍに設定され、取付部材１３の傾斜角度αが３０°になるように設定されている。
【００５４】
前記各分割体１３ａ、１３ｂの両端部には、断面Ｌ字状をなす取付金具４３が固着され、その中央部には挿通孔１９が開口されている。そして、両分割体１３ａ、１３ｂによりコンクリート柱１２を挟持した状態で両分割体１３ａ、１３ｂの挿通孔１９にねじ部材としての長ボルト２０を挿通し、ナット２１で締付けることにより、取付部材１３をコンクリート柱１２に対して傾斜状態で取付けることができるようになっている。
【００５５】
前記各分割体１３ａ、１３ｂの底板１３ｇの上下方向中央位置には、複数の取着用孔４４が分割体１３ａ、１３ｂの長手方向に沿って所定間隔をおいて透設されている。また、斜状部材１４は底壁１４ａと、その両端部から立設された側壁１４ｂとから断面コの字状に形成されている。この斜状部材１４は、取付部材１３よりも幅狭に形成されるとともに、取付部材１３よりも長く形成されている。該斜状部材１４の底壁１４ａには斜状部材１４の長手方向に沿って多数の取着孔４５が所定間隔をおいて形成され、斜状部材１４の上部に位置する側壁１４ｂの両端部には、それぞれ複数の挿着孔４６が形成されている。
【００５６】
そして、図１３及び図１４に示すように、取付部材１３の各分割体１３ａ、１３ｂがコンクリート柱１２に傾斜状態で取付けられた状態で、各分割体１３ａ、１３ｂの取着用孔４４と斜状部材１４の取着孔４５に接続材としてのボルト２６を通してナット２７で締付ける。これにより、斜状部材１４を取付部材１３と同じ傾斜状態で取付けることができるようになっている。
【００５７】
図１４及び図１５（ａ）、（ｂ）に示すように、架橋部材１５は丸棒材により形成され、斜状部材１４の両端部に載った状態で、Ｕボルト４７で包み込まれて押えられるようになっている。そして、そのＵボルト４７の両端が斜状部材１４の一対の挿着孔４６に挿通されて締付ナット４８が螺合され、架橋部材１５が斜状部材１４上に固定されるように構成されている。図１４及び図１５（ａ）、（ｂ）の二点鎖線に示すように、この架橋部材１５上には、レースウェイ４９を介して太陽電池パネル１６のパネル枠３１が支持されるようになっている。
【００５８】
さて、図１３に示すように、取付部材１３をコンクリート柱１２に取付ける場合には、各分割体１３ａ、１３ｂの切欠き４０、４１をコンクリート柱１２に対向させて押し当てる。このとき、分割体１３ａ、１３ｂの上側板１３ｃの切欠き４０と下側板１３ｄの切欠き４１とが分割体１３ａ、１３ｂの長手方向に予めずらして形成されていることから、両分割体１３ａ、１３ｂをコンクリート柱１２に押し当てたときには、両分割体１３ａ、１３ｂの傾斜角度αが３０°の傾斜状態に配置される。この傾斜状態で、分割体１３ａ、１３ｂの取付金具４３の挿通孔１９に長ボルト２０を通してナット２１で締付けることにより、取付部材１３をコンクリート柱１２に取付けることができる。
【００５９】
続いて、図１３及び図１４に示すように、各分割体１３ａ、１３ｂの底板１３ｇ外面に斜状部材１４の底壁１４ａ外面を対向させ、分割体１３ａ、１３ｂの底板１３ｇの取着用孔４４と斜状部材１４の底壁１４ａの取着孔４５にボルト２６を挿通してナット２７で締付ける。これにより、斜状部材１４を取付部材１３と同じ傾斜角度αで取付部材１３に取付けることができる。
【００６０】
次いで、図１４及び図１５（ａ）、（ｂ）に示すように、隣り合うコンクリート柱１２の斜状部材１４間に架橋部材１５を架け渡し、Ｕボルト４７を斜状部材１４の一対の挿着孔４６に通して締付ナット４８で締付けることにより、架橋部材１５を斜状部材１４に固定することができる。その後、太陽電池パネル１６のパネル枠３１を第１実施形態と同様にしてレースウェイ４９を介し架橋部材１５に支持し、太陽電池パネル１６の傾斜角度αを３０°の傾斜状態に配置する。
【００６１】
以上のように、第４実施形態によれば、取付部材１３を構成する各分割体１３ａ、１３ｂの上側板１３ｃの切欠き４０と下側板１３ｄの切欠き４１の位置をずらして形成するという簡単な構成により、太陽電池パネル１６を所定の傾斜状態に容易かつ迅速に設置することができる。
【００６２】
なお、前記実施形態を次のように変更して実施することも可能である。
・前記第１実施形態及び第３実施形態における各分割体１３ａ、１３ｂの当接部１７を省略して構成することも可能である。
【００６３】
・前記第１実施形態において、分割体１３ａ、１３ｂに設けられた上部位置の角度調節孔２４ａ、２４ｂ、２４ｃ及び下部位置の角度調節孔２４ａ、２４ｂ、２４ｃのいずれか一方を省略してもよい。
【００６４】
・図１の二点鎖線に示すように、前記第１実施形態において、各分割体１３ａ、１３ｂの内面側の角度調節孔２４ａ、２４ｂ、２４ｃの部分にナット２７を接合しておいてもよい。この場合、ボルト２６を、斜状部材１４の傾斜用孔２５から分割体１３ａ、１３ｂの所定の角度調節孔２４ａ、２４ｂ、２４ｃに挿通してナット２７に簡単に螺合することができる。
【００６５】
・前記各分割体１３ａ、１３ｂを連結する連結材として、ばね部材等を使用してもよい。
・前記斜状部材１４の傾斜角度αは適宜設定することができ、例えば２０°、７０°等に設定できるように構成してもよい。
【００６６】
・前記架橋部材１５を省略し、太陽電池パネル１６のパネル枠３１を、コンクリート柱１２に取付けられた斜状部材１４上に支持するように構成してもよい。
・前記支柱を四角柱等の角柱で構成したり、支柱の材質を鋼鉄等の金属材料で構成したりしてもよい。
【００６７】
・前記第４実施形態において、分割体１３ａ、１３ｂの上側板１３ｃの切欠き４０と下側板１３ｄの切欠き４１を第４実施形態とは異なる適宜の位置に設定することにより、両分割体１３ａ、１３ｂ及び斜状部材１４の傾斜角度αを変更するように構成してもよい。
【００６８】
・前記第４実施形態において、各分割体１３ａ、１３ｂの高さを変更し、両分割体１３ａ、１３ｂ及び斜状部材１４の傾斜角度αを変更するように構成してもよい。
・前記第４実施形態において、各分割体１３ａ、１３ｂの底板１３ｇを省略するとともに、斜状部材１４を分割体１３ａ、１３ｂの上側板１３ｃ又は下側板１３ｄに取付けるように構成してもよい。
【００６９】
・前記第４実施形態において、上側板１３ｃの切欠き４０と下側板１３ｄの切欠き４１は、平面楕円弧状、平面長円弧状等の形状であってもよい。
・前記第４実施形態において、各分割体１３ａ、１３ｂの切欠き４０、４１の少なくとも一部がコンクリート柱１２に当接するように構成してもよい。
【符号の説明】
【００７０】
１２…支柱としてのコンクリート柱、１３…取付部材、１３ａ、１３ｂ…分割体、１３ｃ…上側板、１３ｄ…下側板、１３ｅ…左側板、１３ｆ…右側板、１４…斜状部材、１５…架橋部材、１６…太陽電池パネル、１７…当接部、２０…連結材を構成するねじ部材としての長ボルト、２１…連結材を構成するねじ部材としてのナット、２２…回動軸、２３…回動用孔、２４、２４ａ、２４ｂ、２４ｃ…角度調節孔、２５…傾斜用孔、２６…接続材としてのボルト、２７…接続材としてのナット、３１…パネル枠、４０、４１…切欠き、α…傾斜角度。
【図１】
2015144541.tif 000003
【図２】
2015144541.tif 000004
【図３】
2015144541.tif 000005
【図４】
2015144541.tif 000006
【図５】
2015144541.tif 000007
【図６】
2015144541.tif 000008
【図７】
2015144541.tif 000009
【図８】
2015144541.tif 000010
【図９】
2015144541.tif 000011
【図１０】
2015144541.tif 000012
【図１１】
2015144541.tif 000013
【図１２】
2015144541.tif 000014
【図１３】
2015144541.tif 000015
【図１４】
2015144541.tif 000016
【図１５】
2015144541.tif 000017